(57)【特許請求の範囲】
【請求項１】
携帯用情報機器に用いるディスプレイアセンブリであって、
第１フレームと、
前記第１フレームと隣接する第２フレームと、
前記第１フレームと前記第２フレームとを相対的に回動可能に連結したヒンジと、
前記第１フレーム及び前記第２フレームの上面開口を塞ぐように前記第１フレームから前記第２フレームに亘って延在し、前記第１フレームと前記第２フレームの境界線を跨ぐ位置に折曲領域を有するディスプレイと、
前記ディスプレイの周縁部と前記第１フレーム及び前記第２フレームとの間に設けられたベゼル部材と、
を備え、
前記第１フレームの下面開口を塞ぐ第１カバー部材、及び前記第２フレームの下面開口を塞ぐ第２カバー部材が着脱可能に固定されるように構成されており、
さらに、
前記ディスプレイに接続されたディスプレイ制御基板と、
前記ディスプレイに積層されたタッチパネルに接続されたタッチパネル制御基板と、
を備え、
前記ディスプレイ制御基板は、前記第１フレーム又は前記第２フレームと固定され、
前記タッチパネル制御基板は、前記第１フレーム又は前記第２フレームと固定されている
ことを特徴とするディスプレイアセンブリ。
【請求項２】
請求項１に記載のディスプレイアセンブリであって、
前記第１フレーム及び前記第２フレームは、それぞれ、
前記境界線と直交する第１フレーム材と、
前記第１フレーム材と平行する第２フレーム材と、
前記第１フレーム材及び前記第２フレーム材の前記境界線側とは逆側の第１端部同士を接続する第３フレーム材と、
を有し、
前記第１フレーム及び前記第２フレームは、前記境界線を挟んで互いの内側空間同士が連通している
ことを特徴とするディスプレイアセンブリ。
【請求項３】
請求項２に記載のディスプレイアセンブリであって、
前記ディスプレイの前記第１フレーム側の第１領域を支持する第１プレートと、
前記第１プレートと隣接し、前記ディスプレイの前記第２フレーム側の第２領域を支持する第２プレートと、
をさらに備え、
前記第１プレートは、前記第１フレームに支持され、
前記第２プレートは、前記第２フレームに支持されている
ことを特徴とするディスプレイアセンブリ。
【請求項４】
筐体を備える携帯用情報機器であって、
前記筐体は、
上面側にディスプレイが搭載されたトップシェルと、
前記トップシェルの下面開口を塞ぐように該トップシェルと着脱可能に連結され、マザーボード及びバッテリ装置が搭載されたボトムシェルと、
を備え、
前記トップシェルは、
第１フレームと、
前記第１フレームと隣接する第２フレームと、
前記第１フレームと前記第２フレームとを相対的に回動可能に連結したヒンジと、
前記ディスプレイの周縁部と前記第１フレーム及び前記第２フレームとの間に設けられたベゼル部材と、
を有し、
前記ディスプレイは、前記第１フレーム及び前記第２フレームの上面開口を塞ぐように前記第１フレームから前記第２フレームに亘って延在し、前記第１フレームと前記第２フレームの境界線を跨ぐ位置に折曲領域を有し、
前記ボトムシェルは、
内面に前記マザーボードが固定され、前記第１フレームの下面開口を塞ぐように該第１フレームと着脱可能に連結される第１カバー部材と、
内面に前記バッテリ装置が固定され、前記第２フレームの下面開口を塞ぐように該第２フレームと着脱可能に連結される第２カバー部材と、
を有し、
前記第１カバー部材及び前記第２カバー部材の少なくとも一方には、蓋体によって開閉可能な開口部が設けられ、
前記筐体は、前記開口部を介して内部にアクセス可能であり、
前記トップシェルは、
前記ディスプレイに接続され、前記第１フレーム又は前記第２フレームに固定されたディスプレイ制御基板と、
前記ディスプレイに設けられたタッチパネルに接続され、前記第１フレーム又は前記第２フレームに固定されたタッチパネル制御基板と、
前記ディスプレイ制御基板から延びた配線の端部に接続された第１コネクタと、
前記タッチパネル制御基板から延びた配線の端部に接続された第２コネクタと、
をさらに有し、
前記第１コネクタ及び前記第２コネクタは、前記開口部を通して操作可能な位置に設けられていることを特徴とする携帯用情報機器。
【請求項５】
請求項４に記載の携帯用情報機器であって、
前記筐体は、
上面が前記ディスプレイ及び前記ベゼル部材で形成され、
側面が前記第１フレーム及び前記第２フレームで形成され、
底面が前記第１カバー部材及び前記第２カバー部材で形成されている
ことを特徴とする携帯用情報機器。
【発明の詳細な説明】
【技術分野】
【０００１】
本発明は、ディスプレイアセンブリ及び携帯用情報機器に関する。
【背景技術】
【０００２】
近年、タッチパネル式の液晶ディスプレイを有し、物理的なキーボードを持たないタブレット型ＰＣやスマートフォン等の携帯用情報機器が急速に普及している。この種の携帯用情報機器のディスプレイは、使用時には大きい方が望ましい反面、非使用時には小さいことが望ましい。そこで、有機ＥＬ（Ｅｌｅｃｔｒｏ  Ｌｕｍｉｎｅｓｃｅｎｃｅ）等のフレキシブルディスプレイを用いることで、筐体だけでなくディスプレイまでも折り畳み可能に構成した携帯用情報機器が提案されている（例えば、特許文献１参照）。
【先行技術文献】
【特許文献】
【０００３】
【特許文献１】特開２０１８−１１２８３３号公報
【発明の概要】
【発明が解決しようとする課題】
【０００４】
上記特許文献１の構成では、ディスプレイの周縁部と筐体との間に形成される隙間をベゼル部材によって塞いでいる。このベゼル部材は、ディスプレイ及び筐体に対して両面テープ等で粘着されている。このため、この構成では、筐体内部の基板やバッテリ装置等の修理や交換の際、ベゼル部材をディスプレイや筐体から剥離する必要がある。この際、ベゼル部材を固定する両面テープにより、ディスプレイ表面に設けられた導電フィルム等が破損し、ディスプレイの交換も必要になる懸念がある。
【０００５】
本発明は、上記従来技術の課題を考慮してなされたものであり、メンテナンスを容易に行うことができるディスプレイアセンブリ及び携帯用情報機器を提供することを目的とする。
【課題を解決するための手段】
【０００６】
本発明の第１態様に係るディスプレイアセンブリは、携帯用情報機器に用いるディスプレイアセンブリであって、第１フレームと、前記第１フレームと隣接する第２フレームと、前記第１フレームと前記第２フレームとを相対的に回動可能に連結したヒンジと、前記第１フレーム及び前記第２フレームの上面開口を塞ぐように前記第１フレームから前記第２フレームに亘って延在し、前記第１フレームと前記第２フレームの境界線を跨ぐ位置に折曲領域を有するディスプレイと、前記ディスプレイの周縁部と前記第１フレーム及び前記第２フレームとの間に設けられたベゼル部材と、を備え、前記第１フレームの下面開口を塞ぐ第１カバー部材、及び前記第２フレームの下面開口を塞ぐ第２カバー部材が着脱可能に固定されるように構成される。
【０００７】
前記第１フレーム及び前記第２フレームは、それぞれ、前記境界線と直交する第１フレーム材と、前記第１フレーム材と平行する第２フレーム材と、前記第１フレーム材及び前記第２フレーム材の前記境界線側とは逆側の第１端部同士を接続する第３フレーム材と、を有し、前記第１フレーム及び前記第２フレームは、前記境界線を挟んで互いの内側空間同士が連通している構成としてもよい。
【０００８】
前記ディスプレイの前記第１フレーム側の第１領域を支持する第１プレートと、前記第１プレートと隣接し、前記ディスプレイの前記第２フレーム側の第２領域を支持する第２プレートと、をさらに備え、前記第１プレートは、前記第１フレームに支持され、前記第２プレートは、前記第２フレームに支持されている構成としてもよい。
【０００９】
前記ディスプレイに接続されたディスプレイ制御基板と、前記ディスプレイに積層されたタッチパネルに接続されたタッチパネル制御基板と、をさらに備え、前記ディスプレイ制御基板は、前記第１フレーム又は前記第２フレームと固定され、前記タッチパネル制御基板は、前記第１フレーム又は前記第２フレームと固定されている構成としてもよい。
【００１０】
本発明の第２態様に係る携帯用情報機器は、筐体を備える携帯用情報機器であって、前記筐体は、上面側にディスプレイが搭載されたトップシェルと、前記トップシェルの下面開口を塞ぐように該トップシェルと着脱可能に連結され、マザーボード及びバッテリ装置が搭載されたボトムシェルと、を備え、前記トップシェルは、第１フレームと、前記第１フレームと隣接する第２フレームと、前記第１フレームと前記第２フレームとを相対的に回動可能に連結したヒンジと、前記ディスプレイの周縁部と前記第１フレーム及び前記第２フレームとの間に設けられたベゼル部材と、を有し、前記ディスプレイは、前記第１フレーム及び前記第２フレームの上面開口を塞ぐように前記第１フレームから前記第２フレームに亘って延在し、前記第１フレームと前記第２フレームの境界線を跨ぐ位置に折曲領域を有し、前記ボトムシェルは、内面に前記マザーボードが固定され、前記第１フレームの下面開口を塞ぐように該第１フレームと着脱可能に連結される第１カバー部材と、内面に前記バッテリ装置が固定され、前記第２フレームの下面開口を塞ぐように該第２フレームと着脱可能に連結される第２カバー部材と、を有する。
【００１１】
前記筐体は、上面が前記ディスプレイ及び前記ベゼル部材で形成され、側面が前記第１フレーム及び前記第２フレームで形成され、底面が前記第１カバー部材及び前記第２カバー部材で形成されている構成としてもよい。
【００１２】
前記第１カバー部材及び前記第２カバー部材の少なくとも一方には、蓋体によって開閉可能な開口部が設けられ、前記筐体は、前記開口部を介して内部にアクセス可能である構成としてもよい。
【００１３】
前記トップシェルは、前記ディスプレイに接続され、前記第１フレーム又は前記第２フレームに固定されたディスプレイ制御基板と、前記ディスプレイに設けられたタッチパネルに接続され、前記第１フレーム又は前記第２フレームに固定されたタッチパネル制御基板と、前記ディスプレイ制御基板から延びた配線の端部に接続された第１コネクタと、前記タッチパネル制御基板から延びた配線の端部に接続された第２コネクタと、をさらに有し、前記第１コネクタ及び前記第２コネクタは、前記開口部を通して操作可能な位置に設けられている構成としてもよい。
【発明の効果】
【００１４】
本発明の上記態様によれば、メンテナンスを容易に行うことができる。
【図面の簡単な説明】
【００１５】
【図１】図１は、一実施形態に係る携帯用情報機器を閉じて積層形態とした状態を示す斜視図である。
【図２】図２は、図１に示す携帯用情報機器を開いて平板形態とした状態を模式的に示す分解斜視図である。
【図３】図３は、トップシェルの構成を模式的に示す分解斜視図である。
【図４】図４は、トップシェルをボトムシェルから取り外した状態での模式的な側面断面図である。
【発明を実施するための形態】
【００１６】
以下、本発明に係るディスプレイアセンブリについて、これを搭載した携帯用情報機器との関係で好適な実施形態を挙げ、添付の図面を参照しながら詳細に説明する。
【００１７】
図１は、一実施形態に係る携帯用情報機器１０を閉じて積層形態とした状態を示す斜視図である。図２は、図１に示す携帯用情報機器１０を開いて平板形態とした状態を模式的に示す分解斜視図である。
【００１８】
図１及び図２に示すように、携帯用情報機器１０は、トップシェル１２とボトムシェル１４とを上下に連結し、相対的に回動可能な第１筐体１６Ａ及び第２筐体１６Ｂを構成したものである。トップシェル１２は、筐体１６Ａ，１６Ｂ間に亘るディスプレイ１８が搭載されたディスプレイアセンブリであり、ボトムシェル１４と連結されることで携帯用情報機器１０を構成する。本実施形態の携帯用情報機器１０は、ディスプレイ１８も含めて本のように折り畳み可能なタブレット型ＰＣである。携帯用情報機器１０は、携帯電話、スマートフォン、携帯用ゲーム機等であってもよい。図１中に２点鎖線で示す外面カバー材１９は、筐体１６Ａ，１６Ｂの外面を覆うレザーや布地による柔軟なカバー材である。
【００１９】
以下、図１及び図２に示すように、携帯用情報機器１０について、筐体１６Ａ，１６Ｂの並び方向をＸ方向、これと直交する方向をＹ方向、と呼んで説明する。
【００２０】
先ず、ディスプレイアセンブリであるトップシェル１２の構成を説明する。
【００２１】
図３は、トップシェル１２の構成を模式的に示す分解斜視図である。図２及び図３に示すように、トップシェル１２は、第１フレーム１２Ａと、第２フレーム１２Ｂと、一対のヒンジ２０，２０と、第１プレート２２Ａと、第２プレート２２Ｂと、ディスプレイ１８と、ベゼル部材２３と、を備える。
【００２２】
図２及び図３に示すように、第１フレーム１２Ａ及び第２フレーム１２Ｂは、互いに隣接してＸ方向に並んでいる。フレーム１２Ａ，１２Ｂは、互いの境界線Ｂに面した隣接端部１２Ａａ，１２Ｂａ間がヒンジ２０によって連結され、境界線Ｂを中心として相対的に回動可能である。
【００２３】
第１フレーム１２Ａは、境界線Ｂ以外の３辺を構成するフレーム材２４ａ，２４ｂ，２４ｃによって略Ｕ形状に形成され、境界線Ｂ側が第２フレーム１２Ｂに臨んで開口している。フレーム材２４ａ，２４ｂは、境界線Ｂと直交するＸ方向に沿って延在して互いに平行し、Ｙ方向に離間している。隣接端部１２Ａａは、フレーム材２４ａ，２４ｂの境界線Ｂに面した端部である。フレーム材２４ｃは、フレーム材２４ａ，２４ｂの隣接端部１２Ａａ側とは逆側の端部間を繋ぐようにＹ方向に延在し、境界線ＢとＸ方向に離間して平行している。これらフレーム材２４ａ〜２４ｃは、第１筐体１６Ａの３辺の側壁としても機能する。
【００２４】
本実施形態の場合、第１フレーム１２Ａは、さらに、補助フレーム材２４ｄを備える。補助フレーム材２４ｄは、フレーム材２４ａ，２４ｂの隣接端部１２Ａａよりも多少フレーム材２４ｃ側にオフセットした位置でフレーム材２４ａ，２４ｄ間を接続したブリッジ材である。
【００２５】
各フレーム材２４ａ〜２４ｃには、複数の支持部材２６が設けられている。各支持部材２６は、フレーム材２４ａ〜２４ｄで囲まれた第１フレーム１２Ａの内側空間Ｓ１に張り出すように設けられている。一部の支持部材２６は、第１フレーム１２Ａに対するディスプレイ１８の取付台となる。また、別の一部の支持部材２６は、第１フレーム１２Ａに対するタッチパネル制御基板２８や端子制御基板２９等の各種部品の取付台となる。
【００２６】
第２フレーム１２Ｂは、基本的には第１フレーム１２Ａと左右対称構造である。第２フレーム１２Ｂの各要素については、第１フレーム１２Ａの各要素と同一の符号を付して詳細な説明を省略する。第２フレーム１２Ｂについても、フレーム材２４ａ〜２４ｄで囲まれた内側空間Ｓ２に張り出した複数の支持部材２６を備える。一部の支持部材２６は、第２フレーム１２Ｂに対するディスプレイ１８の取付台となる。また、別の一部の支持部材２６は、第２フレーム１２Ｂに対するディスプレイ制御基板３０等の各種部品の取付台となる。
【００２７】
図２及び図３中の参照符号３２は、第１フレーム１２Ａの側壁（フレーム材２４ｂ，２４ｃ）を貫通して外部に臨んだ接続端子である。接続端子３２は、例えばＵＳＢ規格に準拠している。図２及び図３中の参照符号３４は、第２フレーム１２Ｂの側壁（フレーム材２４ｃ）を貫通して外部に臨んだ電源ボタンである。電源ボタン３４は、当該携帯用情報機器１０の電源をオンオフするためのボタンである。
【００２８】
ヒンジ２０は、フレーム１２Ａ，１２Ｂのフレーム材２４ａ，２４ａ間と、フレーム１２Ａ，１２Ｂのフレーム材２４ｂ，２４ｂ間とにそれぞれ設けられている。ヒンジ２０は、フレーム１２Ａ，１２Ｂ間を相対的に回動可能に連結する。本実施形態の場合、ヒンジ２０によるフレーム１２Ａ，１２Ｂ間の回動中心は、ディスプレイ１８の表面１８ａと一致している。
【００２９】
図３に示すように、第１プレート２２Ａ及び第２プレート２２Ｂは、その表面２２Ａａ，２２Ｂａでディスプレイ１８の裏面を支持するものである。プレート２２Ａ，２２Ｂは、薄く且つ硬質のプレート状部材である。本実施形態のプレート２２Ａ，２２Ｂは、炭素繊維等による繊維強化樹脂板である。プレート２２Ａ，２２Ｂは、ステンレス等の金属板等で形成されてもよい。第１プレート２２Ａは、第１フレーム１２Ａの上面開口１２Ａｂを覆うように配置される。第２プレート２２Ｂは、第２フレーム１２Ｂの上面開口１２Ｂｂを覆うように配置される。
【００３０】
図３に示すように、プレート２２Ａ，２２Ｂは、互いの隣接端面２２Ａｂ，２２Ｂｂを除く３辺の外周端面に複数の取付片３６が突設されている。各取付片３６は、フレーム１２Ａ，１２Ｂの支持部材２６等にねじ止めされる。これによりプレート２２Ａ，２２Ｂは、それぞれフレーム１２Ａ，１２Ｂに固定され、ディスプレイ１８がフレーム１２Ａ，１２Ｂと一体に固定される。プレート２２Ａ，２２Ｂは、取付片３６の一部又は全部を用いず、その裏面を支持部材２６等に直接的にねじ止めしてもよい。ディスプレイ１８の構造等によっては、プレート２２Ａ，２２Ｂは、省略されてもよい。プレート２２Ａ，２２Ｂは、フレーム１２Ａ，１２Ｂと一体に構成されてもよい。
【００３１】
図４は、トップシェル１２をボトムシェル１４から取り外した状態での模式的な側面断面図である。図３及び図４に示すように、プレート２２Ａ，２２Ｂは、互いに面方向に並んで配置された平板形態において、互いの隣接端面２２Ａｂ，２２Ｂｂ同士が当接する。これによりディスプレイ１８は、平板状に開かれた１枚の大画面を形成し、その裏面が１枚板状に並んだプレート２２Ａ，２２Ｂで支持される。図１に示すように、筐体１６Ａ，１６Ｂ間が折り畳まれた積層形態では、プレート２２Ａ，２２Ｂは、互いの隣接端面２２Ａｂ，２２Ｂｂが離間し、略Ｕ字状に折り畳まれたディスプレイ１８を挟んで互いの表面２２Ａａ，２２Ｂａ同士が対向する。
【００３２】
図４中の参照符号３７は、各プレート２２Ａ，２２Ｂの裏面から、他方のプレート２２Ｂ、２２Ａに向かって突出した爪状の係止片である。係止片３７は、境界線Ｂに沿ってプレート２２Ａ，２２Ｂから交互に突出している。係止片３７は、図４に示す平板形態時、その先端上面が相手側のプレート２２Ａ，２２Ｂの裏面に当接し、プレート２２Ａ，２２Ｂ間の段差を抑制し、表面２２Ａａ，２２Ｂａをより平坦な平面に形成するためのものである。係止片３７は、省略してもよい。
【００３３】
ディスプレイ１８は、例えばタッチパネル３８を有する液晶ディスプレイである（図４参照）。ディスプレイ１８は、柔軟性の高いペーパー構造を持った有機ＥＬ等のフレキシブルディスプレイである。ディスプレイ１８は、左右のプレート２２Ａ，２２Ｂと共に、左右のフレーム１２Ａ，１２Ｂの上面開口１２Ａｂ，１２Ｂｂを塞ぐように延在する。ディスプレイ１８は、平板形態でのプレート２２Ａ，２２Ｂの外形と略同一の外形を有する。ディスプレイ１８は、プレート２２Ａ，２２Ｂの隣接端面２２Ａｂ，２２Ｂｂを跨ぐ位置にＹ方向に延在した帯状の折曲領域Ｒを有する。
【００３４】
ディスプレイ１８は、折曲領域Ｒがプレート２２Ａ，２２Ｂの表面２２Ａａ，２２Ｂａに固定されず、折曲領域Ｒ以外の部分が両面テープや粘着剤等を用いて表面２２Ａａ，２２Ｂａに貼り付けられる。つまり折曲領域Ｒは、表面２２Ａａ，２２Ｂａに対して相対的に移動可能である。このため、携帯用情報機器１０が積層形態に変化した際、折曲領域Ｒはプレート２２Ａ，２２Ｂから離間して略Ｕ字状に湾曲する。
【００３５】
図４に示すように、タッチパネル制御基板２８及び端子制御基板２９は、第１フレーム１２Ａに対して支持部材２６を介して固定されている。タッチパネル制御基板２８は、タッチパネル３８とフレキシブル基板等で電気的に接続され、タッチパネル３８へのタッチ操作時のアナログの出力信号をデジタル信号に変換してボトムシェル１４側のマザーボード４０に送信する回路基板である。端子制御基板２９は、接続端子３２と電気的に接続され、接続端子３２に接続された外部機器とマザーボード４０との間に介在する回路基板である。これらタッチパネル制御基板２８及び端子制御基板２９には、それぞれ配線４２ａを介してコネクタ４２が接続されている。コネクタ４２は、配線４２ａの余剰長さ分だけ位置移動が可能である。タッチパネル制御基板２８又は端子制御基板２９は、第２フレーム１２Ｂに固定されてもよい。
【００３６】
ディスプレイ制御基板３０は、第２フレーム１２Ｂに対して支持部材２６を介して固定されている。ディスプレイ制御基板３０は、ディスプレイ１８とフレキシブル基板等で電気的に接続され、ディスプレイ１８とマザーボード４０との間に介在し、ディスプレイ１８の表示制御等を行う回路基板である。ディスプレイ制御基板３０には、配線４４ａを介してコネクタ４４が接続されている。コネクタ４４は、配線４４ａの余剰長さ分だけ位置移動が可能である。ディスプレイ制御基板３０は、第１フレーム１２Ａに固定されてもよい。コネクタ４４には、さらに電源ボタン３４からマザーボード４０への配線も接続されている。
【００３７】
図２及び図４に示すように、ベゼル部材２３は、ディスプレイ１８の周縁部を囲む枠状部材である。ベゼル部材２３は、ディスプレイ１８の表面１８ａの周縁部と、フレーム１２Ａ，１２Ｂとの間に亘るように設けられ、両者に両面テープや粘着剤で固定される（図４参照）。ベゼル部材２３は、ディスプレイ１８及びプレート２２Ａ，２２Ｂと、フレーム１２Ａ，１２Ｂとの間に形成される隙間を覆い隠している。ベゼル部材２３は、樹脂、ゴム又は金属等で形成されたシート状部材である。ベゼル部材２３は、少なくとも折曲領域Ｒに重なる部分２３ａは可撓性を有する。
【００３８】
次に、ボトムシェル１４の構成を説明する。
【００３９】
図２及び図４に示すように、ボトムシェル１４は、第１カバー部材４６Ａと、第２カバー部材４６Ｂと、を備える。
【００４０】
第１カバー部材４６Ａ及び第２カバー部材４６Ｂは、互いに隣接してＸ方向に並んでいる。カバー部材４６Ａ，４６Ｂは、樹脂や金属等の薄板である。図２〜図４に示す平板形態において、カバー部材４６Ａ，４６Ｂは、互いの隣接端面４６Ａａ，４６Ｂａが当接し、両者間に境界線Ｂが配置される。図１に示す積層形態において、カバー部材４６Ａ，４６Ｂは、互いの隣接端面４６Ａａ，４６Ｂａが離間する。カバー部材４６Ａ，４６Ｂの内面４６Ａｂ，４６Ｂｂには、隣接端面４６Ａａ，４６Ｂａを跨ぐ背表紙部材４８が設けられている。
【００４１】
図４に示すように、背表紙部材４８は、第１カバー部材４６Ａ側の第１端部が第１カバー部材４６Ａに対してＸ方向にスライド可能な状態で支持され、第２カバー部材４６Ｂ側の第２端部が第２カバー部材４６Ｂに対してスライド不能に固定されている。背表紙部材４８は、平板形態時には内面４６Ａｂ，４６Ｂｂ上に収納される（図４参照）。背表紙部材４８は、積層形態時には湾曲し、隣接端面４６Ａａ，４６Ｂａ間の隙間を塞ぐ（図１参照）。背表紙部材４８は、ボトムシェル１４をトップシェル１２から取り外した際、左右のカバー部材４６Ａ，４６Ｂ間を連結しておく連結部材としても機能する。
【００４２】
第１カバー部材４６Ａは、第１フレーム１２Ａの下面開口１２Ａｃを塞ぐように設けられる。第１カバー部材４６Ａは、ねじや係止爪を利用して第１フレーム１２Ａに着脱可能に固定される。第１カバー部材４６Ａは、第１フレーム１２Ａと共に第１筐体１６Ａを構成する。本実施形態の場合、第１カバー部材４６Ａの内面４６Ａｂには、図示しないＣＰＵやメモリが実装されたマザーボード４０やアンテナ装置５０（図４参照）等が固定されている。
【００４３】
第２カバー部材４６Ｂは、第２フレーム１２Ｂの下面開口１２Ｂｃを塞ぐように設けられる。第２カバー部材４６Ｂは、ねじや係止爪を利用して第２フレーム１２Ｂに着脱可能に固定される。第２カバー部材４６Ｂは、第２フレーム１２Ｂと共に第２筐体１６Ｂを構成する。本実施形態の場合、第２カバー部材４６Ｂの内面４６Ｂｂには、バッテリ装置５２や図示しないアンテナ装置等が固定されている。
【００４４】
カバー部材４６Ａ，４６Ｂには、それぞれ開口部５４，５５が形成されている。開口部５４は、第１カバー部材４６Ａの一部をくり抜いた孔部であり、例えば矩形状である。第１カバー部材４６Ａは、開口部５４を開閉可能な蓋体５４ａを備える。開口部５５は、第２カバー部材４６Ｂの一部をくり抜いた孔部であり、例えば矩形状である。第２カバー部材４６Ｂは、開口部５５を開閉可能な蓋体５５ａを備える。蓋体５４ａ，５５ａは、それぞれカバー部材４６Ａ，４６Ｂにねじ止めや係止爪で着脱可能に設けられるか、又はヒンジで回動可能に支持される。
【００４５】
図２及ぶ図４に示すように、マザーボード４０には、コネクタ５６，５８が配線５６ａ，５８ａを介して接続されている。コネクタ５６は、第１カバー部材４６Ａ側の開口部５４を通して操作可能な位置、つまり開口部５４に臨む位置まで配線５６ａによって移動させることができる。コネクタ５８は、第２カバー部材４６Ｂ側の開口部５５を通して操作可能な位置、つまり開口部５５に臨む位置まで配線５８ａによって移動させることができる。
【００４６】
次に、トップシェル１２とボトムシェル１４との着脱動作を説明する。
【００４７】
携帯用情報機器１０は、例えばマザーボード４０やこれに実装されたメモリ、或いはバッテリ装置５２の交換等のため、筐体１６Ａ，１６Ｂの内部へのアクセスが必要な場合がある。この場合は、先ず、筐体１６Ａ，１６Ｂ間を平板形態とし、フレーム１２Ａ，１２Ｂとカバー部材４６Ａ，４６Ｂとの間を固定するねじ等を取り外す。次いで、トップシェル１２をボトムシェル１４からある程度持ち上げ、コネクタ４２，５６間及びコネクタ４４，５８間を取り外す。これによりトップシェル１２とボトムシェル１４との間が切り離される。その結果、携帯用情報機器１０は、例えばボトムシェル１４の内面４６Ａｂ，４６Ｂｂ上にあるマザーボード４０やバッテリ装置５２等のメンテナンス作業を実施できる。
【００４８】
次に、分解されたトップシェル１２とボトムシェル１４とを再び連結する際は、例えば机等の上に置いたボトムシェル１４の上からトップシェル１２を被せ、両者をねじ等で連結する。続いて、カバー部材４６Ａ，４６Ｂから蓋体５４ａ，５５ａを取り外し、開口部５４，５５を開く。蓋体５４ａ，５５ａは、トップシェル１２とボトムシェル１４とを連結する前に予め取り外しておいてもよい。そして、この開口部５４，５５を通して作業者の指先や工具を筐体１６Ａ，１６Ｂ内に差し入れ、コネクタ４２，５６間及びコネクタ４４，５８間を接続する。最終的には、蓋体５４ａ，５５ａで開口部５４，５５を閉じることで、トップシェル１２とボトムシェル１４との連結作業が完了する。なお、外面カバー材１９を備えた構成の場合、蓋体５４ａ，５５ａは、外面カバー材１９を取り外すか或いは端部を捲って着脱すればよい。
【００４９】
以上のように、本実施形態のトップシェル１２は、フレーム１２Ａ，１２Ｂ、ヒンジ２０、ディスプレイ１８、及びベゼル部材２３を備える。このため、このようなディスプレイアセンブリであるトップシェル１２を備えた携帯用情報機器１０は、筐体１６Ａ，１６Ｂの内部にアクセスする際、トップシェル１２をボトムシェル１４から取り外すだけでよい。従って、当該トップシェル１２を用いることで、携帯用情報機器１０のメンテナンス性が向上する。つまり、当該携帯用情報機器１０は、メンテナンス時に、例えば両面テープ等でディスプレイ１８やフレーム１２Ａ，１２Ｂに固定されたベゼル部材２３を剥離する必要がない。その結果、メンテナンス時にベゼル部材２３の剥離により、ディスプレイ１８の表面１８ａに設けられた導電フィルム等が破損することもない。
【００５０】
この際、当該携帯用情報機器１０は、ディスプレイ１８を搭載したトップシェル１２にヒンジ２０を設けている。すなわち、仮に、トップシェル１２とボトムシェル１４とが着脱可能な構成で、ボトムシェル１４側にヒンジ２０を設けた構成を考えてみる。この構成の場合、シェル１２，１４間の連結時の交差や誤差によりディスプレイ１８とヒンジ２０との位置関係がずれ、折曲動作時のディスプレイ１８の曲率が動作軌跡が変動して不具合を生じる懸念がある。この点、当該携帯用情報機器１０は、ヒンジ２０とディスプレイ１８とが共にトップシェル１２に設けられ、互いの位置関係が固定されているため、上記不具合の発生を抑制できる。
【００５１】
また、ヒンジ２０がトップシェル１２に設けられていることで、トップシェル１２をボトムシェル１４から取り外した際、左右のフレーム１２Ａ，１２Ｂ間の連結状態がヒンジ２０で維持される。このため、トップシェル１２を単独で取り扱う際、フレーム１２Ａ，１２Ｂ間に亘るディスプレイ１８の特に折曲領域Ｒに負荷や外力がかかることを抑制できる。
【００５２】
本実施形態では、フレーム１２Ａ，１２Ｂが、筐体１６Ａ，１６Ｂの外周側面としても機能するため、部品点数が削減されている。勿論、フレーム１２Ａ，１２Ｂのフレーム材２４ａ〜２４ｃの外面に別途化粧パネル等を設け、この化粧パネルで筐体１６Ａ，１６Ｂの外周側面を形成してもよい。この化粧パネルは、カバー部材４６Ａ，４６Ｂの境界線Ｂ部分の辺を除く３辺から壁体を起立させて構成してもよい。
【００５３】
トップシェル１２は、左右のフレーム１２Ａ，１２Ｂの内側空間Ｓ１，Ｓ２が境界線Ｂを介して連通している。これにより、筐体１６Ａ，１６Ｂ間が平板形態から積層形態に変化する際、プレート２２Ａ，２２Ｂの隣接端面２２Ａｂ，２２Ｂｂがフレーム１２Ａ，１２Ｂに干渉することを防止できる。また、左右の内側空間Ｓ１，Ｓ２が連通していることで、筐体１６Ａ，１６Ｂ間に亘る配線５８ａ等の設置も容易である（図２参照）。
【００５４】
携帯用情報機器１０は、タッチパネル３８及びディスプレイ１８と接続される制御基板２８，３０がトップシェル１２に設けられている。このため、タッチパネル３８及びディスプレイ１８と、制御基板２８，３０との間を接続するフレキシブル基板等がトップシェル１２に集約される。このため、これらフレキシブル基板等がトップシェル１２とボトムシェル１４との間に亘って延在することを防止でき、シェル１２，１４間での電気配線の接続が容易である。
【００５５】
一方、携帯用情報機器１０は、マザーボード４０やバッテリ装置５２は、ボトムシェル１４に搭載されている。つまり、ディスプレイ１８側のトップシェル１２には制御基板２８〜３０等以外の電子部品がない。このため、ディスプレイ１８が破損した際のパネル交換時、トップシェル１２にはほとんど電子部品がないため、その効果が極めて容易である。
【００５６】
なお、本発明は、上記した実施形態に限定されるものではなく、本発明の主旨を逸脱しない範囲で自由に変更できることは勿論である。
【００５７】
上記では、本のように二つ折りに折り畳み可能な携帯用情報機器１０を例示したが、折り畳み型の携帯用情報機器としては、同形の筐体同士を二つ折りに折り畳む構成以外、例えば大形の筐体の左右縁部にそれぞれ小形の筐体を折り畳み可能に連結した観音開きの構成、１つの筐体の左右縁部にそれぞれ折り畳み方向の異なる筐体を連結したＳ型の折り畳み構成、大形の筐体の左右一方の縁部に小形の筐体を折り畳み可能に連結したＪ型の折り畳み構成等、各種構成を例示でき、筐体の連結数は４以上としてもよい。
【符号の説明】
【００５８】
１０  携帯用情報機器
１２  トップシェル
１２Ａ  第１フレーム
１２Ｂ  第２フレーム
１４  ボトムシェル
１６Ａ  第１筐体
１６Ｂ  第２筐体
１８  ディスプレイ
２０  ヒンジ
２２Ａ  第１プレート
２２Ｂ  第２プレート
２３  ベゼル部材
２８  タッチパネル制御基板
３０  ディスプレイ制御基板
３８  タッチパネル
４０  マザーボード
４２，４４，５６，５８  コネクタ
４６Ａ  第１カバー部材
４６Ｂ  第２カバー部材
５２  バッテリ装置
５４，５５  開口部
５４ａ，５５ａ  蓋体
【要約】
【課題】メンテナンスを容易に行うことができるディスプレイアセンブリ及び携帯用情報機器を提供する。
【解決手段】ディスプレイアセンブリは、帯用情報機器に用いるディスプレイアセンブリであって、第１フレームと、前記第１フレームと隣接する第２フレームと、前記第１フレームと前記第２フレームとを相対的に回動可能に連結したヒンジと、前記第１フレーム及び前記第２フレームの上面開口を塞ぐように前記第１フレームから前記第２フレームに亘って延在し、前記第１フレームと前記第２フレームの境界線を跨ぐ位置に折曲領域を有するディスプレイと、前記ディスプレイの周縁部と前記第１フレーム及び前記第２フレームとの間に設けられたベゼル部材と、を備える。
【選択図】図３【図１】
0006950044.tif 000002
【図２】
0006950044.tif 000003
【図３】
0006950044.tif 000004
【図４】
0006950044.tif 000005